(57)【要約】【課題】奥行が生じない表示パターンが表示可能な表示装置を備える遊技機を提供する。【解決手段】遊技機１は、遊技機本体と、遊技機本体の遊技者と対向する側の面に設けられた表示装置５とを有する。表示装置５は、第１の光源５３と、第２の光源５５と、背面から入射した第１又は第２の光源からの光を拡散して正面から出射する拡散面拡散して出射する拡散面と、拡散面の少なくとも一方の面に設けられた第１の表示パターンとを有する第１表示部材５１と、光を透過する透過領域と光を透過しない不透過領域とにより形成された第２の表示パターンを有し、第２の光源からの光を透過領域を介して正面から出射する第２表示部材５４と、第１入射面を介した第１の光源からの光を内部で伝搬させて出射面から第１表示部材へ向けて出射させると共に、第２入射面を介した第２の光源からの光を透過して出射面から第１表示部材へ向けて出射させる導光部材５２とを有する。【選択図】図１
2016067558.tif 000002
【特許請求の範囲】
【請求項１】
遊技機本体と、
前記遊技機本体の遊技者と対向する側の面に設けられた表示装置とを有し、
前記表示装置は、
第１表示部材と、前記第１表示部材の背面側に配置された導光部材と、前記導光部材の側面側に配置された第１の光源と、前記導光部材の背面側に配置された第２表示部材と、前記第２表示部材の背面側に配置された第２の光源と、前記第１の光源及び前記第２の光源を制御する制御部とを有し、
前記第２表示部材は、光を透過する透過領域と光を透過しない不透過領域とにより形成された第２の表示パターンを有し、前記第２の光源からの光のうち、前記透過領域を透過した光を前記導光部材へ向けて出射し、
前記導光部材は、前記第１の光源に対向する第１入射面と、前記第２表示部材の正面に対向する第２入射面と、前記第２入射面の反対の面であり且つ前記第１表示部材の背面に対向する出射面とを有し、前記第１入射面を介して入射した前記第１の光源からの光を内部で伝搬させて前記出射面から前記第１表示部材へ向けて出射すると共に、前記第２入射面を介して入射した光を透過させて前記出射面から前記第１表示部材へ向けて出射し、
第１表示部材は、前記導光部材の前記出射面からの光を拡散して正面から出射する拡散面と、第１の表示パターンとを有する、ことを特徴とする遊技機。
【請求項２】
前記制御部は、前記第１の光源を点灯させている間、前記第２の光源を消灯させ、前記第２の光源を点灯させている間、前記第１の光源を消灯させる、請求項１に記載の遊技機。
【請求項３】
前記第１表示部材において前記第２の光源からの光が照射される照射領域における前記第２の光源からの光による照度は、前記照射領域における前記第１の光源からの光による照度よりも小さい、請求項２に記載の遊技機。
【請求項４】
前記第２の光源は、前記第２表示部材に形成された前記第２の表示パターンを第１の角度で照射する第１の発光素子と、前記第１の角度と相違する第２の角度で前記第２の表示パターンを照射する第２の発光素子とを有し、
前記制御部は、前記第１の発光素子を点灯させている間、前記第２の発光素子を消灯し、前記第２の発光素子を点灯させている間、前記第１の発光素子を消灯する、請求項１〜３の何れか一項に記載の遊技機。
【発明の詳細な説明】
【技術分野】
【０００１】
本発明は、表示する表示パターンを切り替え可能な表示装置を備えた遊技機に関する。
【背景技術】
【０００２】
模様、文字などの表示パターンが形成された複数の表示板のそれぞれに光を照射して、一体の表示パターンを表示する表示装置を備えた遊技機が知られている（例えば、特許文献１を参照）。
【０００３】
特許文献１に記載された遊技機の表示装置は、光を拡散する表示パターンが形成され且つ前後に配置された第１表示板及び表示第２表示板と、第１表示板の端面に光を照射する第１光源部と、第２表示板の端面に光を照射する第２光源部とを有する。特許文献１に記載された遊技機の表示装置では、第１表示板及び第２表示板の一部又は全部が重なり合って所定の表示パターンが形成される。
【先行技術文献】
【特許文献】
【０００４】
【特許文献１】特開２００７−９７７９９号公報
【発明の概要】
【発明が解決しようとする課題】
【０００５】
しかしながら、特許文献１に開示された遊技機の表示装置では、第１表示板に表示される表示パターンと第２表示板に表示される表示パターンとの間に奥行が生じるという問題があった。
【０００６】
そこで、本発明は、複数の表示板のそれぞれに光を照射することにより表示パターンを表示するときに、表示される表示パターンの間に奥行が生じない表示装置を備えた遊技機を提供することを目的とする。
【課題を解決するための手段】
【０００７】
本発明の一つの形態として、遊技機が提供される。この遊技機は、遊技機本体と、遊技機本体の遊技者と対向する側の面に設けられた表示装置とを有する。表示装置は、第１表示部材と、第１表示部材の背面側に配置された導光部材と、導光部材の側面側に配置された第１の光源と、導光部材の背面側に配置された第２表示部材と、第２表示部材の背面側に配置された第２の光源と、第１の光源及び第２の光源を制御する制御部とを有し、第２表示部材は、光を透過する透過領域と光を透過しない不透過領域とにより形成された第２の表示パターンを有し、第２の光源からの光のうち、透過領域を透過した光を正面から導光部材へ向けて出射し、導光部材は、第１の光源に対向する第１入射面と、第２表示部材の正面に対向する第２入射面と、第２入射面の反対の面であり且つ第１表示部材の背面に対向する出射面とを有し、第１入射面を介して入射した第１の光源からの光を内部で伝搬させて出射面から第１表示部材へ向けて出射すると共に、第２入射面を介して入射した光を透過させて出射面から第１表示部材へ向けて出射し、第１表示部材は、導光部材の出射面からの光を拡散して正面から出射する拡散面と、第１の表示パターンとを有する。
【０００８】
またこの表示装置において、制御部は、第１の光源を点灯させている間、第２の光源を消灯させ、第２の光源を点灯させている間、第１の光源を消灯させることが好ましい。
【０００９】
またこの表示装置において、第１表示部材において第２の光源からの光が照射される照射領域における第２の光源からの光による照度は、照射領域における第１の光源からの光による照度よりも小さいことが好ましい。
【００１０】
またこの表示装置において、第２の光源は、第２表示部材に形成された第２の表示パターンを第１の角度で照射する第１の発光素子と、第１の角度と相違する第２の角度で第２の表示パターンを照射する第２の発光素子とを有し、制御部は、第１の発光素子を点灯させている間、第２の発光素子を消灯し、第２の発光素子を点灯させている間、第１の発光素子を消灯することが好ましい。
【発明の効果】
【００１１】
本発明に係る遊技機は、複数の表示板にそれぞれに光を照射することにより表示パターンを表示装置に表示するときに、表示される表示パターンの間に奥行が生じないという効果を奏する。
【図面の簡単な説明】
【００１２】
【図１】本発明の第１の実施形態に係る表示装置を備えた回動遊技機の概略構成図である。
【図２】（ａ）は本発明の第１の実施形態に係る表示装置の概略構成図であり、（ｂ）は（ａ）に示す表示装置の部分分解斜視図である。
【図３】図２に示す第１表示板の側面図である。
【図４】（ａ）は図２に示す導光板の部分斜視図であり、（ｂ）は第１の光源から導光板の入射面に垂直入射する光の伝搬方向に沿った導光板の部分側面断面図である。
【図５】パターン密度及びヘイズ値と観察者による物体の見え方の関係を表すテーブルを示す図である。
【図６】図２に示す第１表示板の側面図である。
【図７】表示装置に表示される表示パターンの例を示す図であり、（ａ）は第１の光源を点灯させ且つ第２の光源を消灯させたときの表示パターンの一例を示し、（ｂ）は第１の光源を消灯させ且つ第２の光源を点灯させたときの表示パターンの一例を示す。
【図８】発明の第１の実施形態の変形例に係る表示パターンの例を示す図であり、（ａ）は第１の光源及び第２の光源の双方を消灯させたときの表示パターンの一例を示し、（ｂ）は第１の光源及び第２の光源の双方を点灯させたときの表示パターンの一例を示す。
【図９】本発明の第２の実施形態に係る表示装置の部分分解斜視図である。
【図１０】本発明の第２の実施形態に係る表示パターンの例を示す図であり、（ａ）は第１の光源を消灯させ且つ第２の光源の一部の発光素子を点灯させたときの表示パターンの一例を示し、（ｂ）は第１の光源を消灯させ且つ第２の光源の他の発光素子を点灯させたときの表示パターンの一例を示す。
【図１１】第３の実施形態に係る表示装置の部分側面図である。
【発明を実施するための形態】
【００１３】
以下、本発明の実施形態による表示装置を備えた遊技機を、図を参照しつつ説明する。この遊技機は、入射した光を拡散して出射する拡散面を有する第１表示部材に設けられた第１の表示パターンと、第１表示部材の後方に配置された第２表示部材に透過領域と不透過領域とにより形成された第２の表示パターンとを切り換えて表示する表示装置を有する。表示装置は、第１の表示パターンを表示するとき、第１表示部材と第２表示部材との間に配置される導光部材により第１の光源からの光を拡散させた光を第１の表示パターンを有する第１表示部材に照射することにより、第１表示部材を全面に亘って照明する。一方、表示装置は、第２の表示パターンを表示するとき、第２の光源を点灯させて、第２の表示パターンに対応する第２表示部材の透過領域及び導光部材を透過した第２の光源からの光を第１表示部材の拡散面で拡散させることにより、第２の光源からの光が照射された部分を光らせる透過スクリーンとして第１表示部材の拡散面を機能させる。これにより、この遊技機では、第１の表示パターンと第２の表示パターンの何れも、第１表示部材に表示されるように見えるので、第１の表示パターンと第２の表示パターンは、奥行を生じさせずに観察者に観察される。
なお、以下では、説明の便宜上、観察者すなわち遊技者に対向する側を正面とし、その反対側を背面とする。
【００１４】
図１は、本発明の第１の実施形態に係る表示装置を備えた回動遊技機の概略構成図である。
【００１５】
回動遊技機１００は、遊技機本体である本体筺体１と、発光ドラム２ａ〜２ｃと、スタートレバー３と、ストップボタン４ａ〜４ｃと、表示装置５とを有する。また、回動遊技機１００は、本体筺体１内に、回動遊技機１００の各部を制御する制御回路（図示せず）、回動遊技機１００の各部に電力を供給する電源回路（図示せず）及び制御回路からの制御信号に応じてメダルを一時貯留し、かつメダルを排出するためのメダル貯留及び排出機構を有する。
【００１６】
本体筺体１の前面の中央上部には開口１１が形成されており、その開口１１を通じて、発光ドラム２ａ〜２ｃが視認可能になっている。また開口１１の下側の枠１２の上面には、メダルを投入するためのメダル投入口１３が形成されている。発光ドラム２ａ〜２ｃは、制御回路からの制御信号に応じて、本体筺体１の前面に対して略平行かつ略水平な回転軸（図示せず）を回転中心として、それぞれ、別個に回転可能となっている。各発光ドラム２ａ〜２ｃの表面は、それぞれ、回転方向に沿って複数の略同一幅を持つ領域に区切られ、領域ごとに様々な図柄が描かれている。なお、発光ドラム２ａ〜２ｃの代わりに、液晶ディスプレイなどの表示装置が、その表示画面が開口１１を介して視認可能なように設けられてもよい。この場合、表示装置は、制御回路からの制御信号に応じて、複数のドラムを模擬的に示した表示パターンを表示画面に表示させる。スタートレバー３は、本体筺体１の枠１２の前面に向かって左側に設けられている。また、枠１２の前面略中央には、ストップボタン４ａ〜４ｃが設けられている。ストップボタン４ａ〜４ｃは、それぞれ、発光ドラム２ａ〜２ｃに対応する。
【００１７】
本体筺体１の前面の下部には、下パネルとして、本発明の１つの実施形態に係る表示装置５が設けられている。なお、表示装置５の詳細については後述する。さらに、表示装置５の下方において、本体筺体１には、メダルを排出するためのメダル排出口１４が形成されている。そしてメダル排出口１４の下方には、排出されたメダルが落下することを防止するためのメダル受け皿１５が取り付けられている。
【００１８】
メダルがメダル投入口１３に投入された後に、スタートレバー３が操作されると、スタートレバー３が操作されたことを示す信号が制御回路へ伝達される。そして制御回路は、発光ドラム２ａ〜２ｃの回転を開始させる。その後、本体筺体１の枠１２の前面略中央に設けられたストップボタン４ａ〜４ｃの何れかが押下されると、制御回路は、その押下されたスイッチから押下されたことを示す信号を受信し、その押下されたスイッチに対応する発光ドラムの回転を停止させる。あるいは、制御回路は、発光ドラム２ａ〜２ｃのうち、回転を開始してから所定期間が経過するまでに、対応するストップスイッチが押下されなかった発光ドラムを、その所定期間経過後に停止させる。そして、全ての発光ドラムが停止した時点で、同一の図柄が全ての発光ドラムにわたって一列に並んでいると、制御回路は、その図柄に応じた所定枚数のメダルをメダル排出口１４を通じて排出する。
【００１９】
図２（ａ）は本発明の第１の実施形態に係る表示装置５の概略構成図であり、図２（ｂ）は表示装置５の部分分解斜視図である。
【００２０】
表示装置５は、第１表示板５１と、導光板５２と、第１の光源５３と、第２表示板５４と、第２の光源５５と、制御部５６と、筺体５７とを有する。第１表示板５１は、第１表示板５１に設けられた第１の表示パターン及び第２表示板５４に設けられた第２の表示パターンが観察者に視認可能なように、観察者の正面に配置される。導光板５２は第１表示板５１の背面側に配置され、第１の光源５３は導光板５２の側面に配置され、第２表示板５４は導光板５２の背面側に配置され、第２の光源５５は第２表示板５４の背面側に配置される。第１の光源５３からの光は、導光板５２に入射し、導光板５２内を伝搬することで拡散され、第１表示板５１に入射して第１表示板５１に設けられた第１の表示パターンを照明する。一方、第２の光源５５からの光は、第２表示板５４に設けられた第２の表示パターンに対応する透過領域及び導光板５２を透過し、第１表示板５１に入射されて第１表示板５１の拡散面に照射されることで、第１表示板５１の正面に位置する観察者が第２の表示パターンを観察できるようにする。
【００２１】
図３は、第１表示板５１の側面図である。
【００２２】
第１表示板５１は、平板状の第１基材５１１と、第１表示パターン形成層５１２と、拡散層５１３とを有する平板状の部材である。第１基材５１１は、光に対して透明であり、例えば、ポリメチルメタクリレート（ＰＭＭＡ）、ポリカーボネート（ＰＣ）、シクロオレフィンポリマー等の光に対して透明な樹脂を成型することにより作成される。
【００２３】
第１表示パターン形成層５１２は、第１の光源５３からの光が第１表示板５１を照明したときに、第１表示板５１の正面に位置する観察者に第１の表示パターンを提示するものであり、例えば、第１基材５１１の背面に複数の色のインクを使用してカラー印刷することにより形成される。第１表示パターン形成層５１２を形成するときに使用されるインクは、例えば、光透過性の顔料又は染料である。また、第１表示パターン形成層５１２を形成するときに使用されるインクの一部を、光不透過性の顔料又は染料にしてもよい。一例では、図２（ｂ）に示される第１形成領域５１２１〜第３形成領域５１２３のそれぞれを、濃紺色、白色及び青色の光透過性のインクで印刷することにより、第１表示パターン形成層５１２を形成することができる。
【００２４】
拡散層５１３は、第１表示板の背面から入射した光を拡散する拡散面を形成するシボ加工された透明フィルムであり、第１表示パターン形成層５１２に透明な接着部材により接着される。また、拡散層５１３は、第１表示パターン形成層５１２に透明なインクを使用してチヂミ印刷することにより形成されてもよい。第１表示板５１を形成する第１基材５１１、第１表示パターン形成層５１２及び拡散層５１３のそれぞれは、光に対して透過性を有する。本実施形態では、第１表示パターン形成層５１２及び拡散層５１３は、第１基材５１１の背面側に配置されるが、第１表示パターン形成層５１２及び拡散層５１３は、第１基材５１１の正面側に配置されてもよい。また、本実施形態では、第１表示パターン形成層５１２及び拡散層５１３は、正面から見て第１表示パターン形成層５１２、拡散層５１３の順に第１基材５１１の背面側に配置されるが、正面から見て拡散層５１３、第１表示パターン形成層５１２の順に配置されてもよい。
【００２５】
図４（ａ）は導光板５２の部分斜視図であり、図４（ｂ）は第１の光源５３から導光板の入射面に垂直入射する光の伝搬方向に沿った導光板５２の部分側面断面図である。
【００２６】
導光板５２は、第１の光源５３が点灯している場合、第１の光源５３からの光をその内部で伝搬させると共に拡散させて、第１表示板５１へ向けて出射させることで第１表示板５１を照明する。また導光板５２は、第２の光源５５が点灯している場合、第２の光源５５から発して第２表示板５４を透過した光を、背面から第１表示板５１側が位置する正面に透過させる。そのために、導光板５２は、第１表示板５１の表示領域よりも大きい面積を持つシート状の部材であり、第１表示板５１の背面に対向するように配置される。また導光板５２は、例えば、ポリメチルメタクリレート、ポリカーボネート、シクロオレフィンポリマーといった、光に対して透明な樹脂を成型することで形成される。一例では、導光板５２の厚さは、２〜３ｍｍである。
【００２７】
導光板５２の側面の一面に、第１の光源５３に対向する第１入射面５２ａが形成され、第１の光源５３からの光は第１入射面５２ａから導光板５２の内部に入射する。そして導光板５２の内部を伝搬した光は、背面側に位置し且つ拡散面として機能する第２入射面５２ｂで全反射された後、第１表示板５１の背面に対向する出射面５２ｃから出射して、第１表示板５１に入射する。
【００２８】
また、第２の光源５５が点灯している場合、第２の光源５５から発し、第２表示板５４の透過領域を透過した光は、導光板５２の第２入射面５２ｂから導光板５２に入射し、そのまま導光板５２を透過して、出射面５２ｃから第１表示板５１へ向けて出射する。
【００２９】
本実施形態では、第１入射面５２ａは、第２入射面５２ｂ及び出射面５２ｃと直交するように形成される。なお、第１入射面５２ａは、第１の光源５３から入射する光の指向性を高めるようコリメートレンズとして動作するように、第１の光源５３へ向けて凸面状に形成されてもよい。
【００３０】
第２入射面５２ｂには、第１入射面５２ａから入射した光を反射して、出射面５２ｃ全体から均一に出射させ、かつ、第１表示板５１に対して略垂直に入射するように、複数のプリズム５２１が形成されている。
【００３１】
複数のプリズム５２１は、第１入射面５２ａから入射した入射光の伝搬方向に沿って所定のピッチで並べて形成される。各プリズム５２１は、第２入射面５２ｂにおいて、第１入射面５２ａからの入射光の伝搬方向に対して略垂直な方向に延伸された略三角形状の溝として形成される。そして各プリズム５２１は、第２入射面５２ｂに対して所定の角度をなす反射面５２２を有する。所定の角度は、入射光の伝搬方向及び導光板５２から光を出射させる方向に応じて決定される。本実施形態では、入射光の伝搬方向は第２入射面５２ｂに対して略平行であり、かつ導光板５２は、出射面５２ｃに対して略垂直に光を出射させる。そのため、各反射面５２２は、例えば、第２入射面５２ｂに対して３７°〜４５°をなすように形成される。この場合、入射光の各反射面５２２に対する入射角は臨界角よりも大きくなるため、矢印４０１に示されるように、入射光は各反射面５２２において全反射する。そのため、導光板５２は、第１の光源５３からの入射光が第２入射面５２ｂ側から出射することを抑制して、第１表示板５１の照明に利用されない光量を抑制できる。また、第１の光源５３が発する光の半値角が例えば±7°〜±20°であり、その光の中心が第２入射面５２ｂ及び出射面５２ｃに対して平行となるように第１の光源５３が配置される場合、15°以上の視野角が確保される。
【００３２】
また、出射面５２ｃから出射される光の強度が場所によらず均一となるように、隣接するプリズム５２１間のピッチは一定となるように形成されることが好ましい。例えば、ピッチが略100μmとなるように各プリズム５２１は形成される。
【００３３】
図５は、目視実験による、パターン密度及びヘイズ値と観察者による導光板５２の背面に配置された物体（不図示）の見え方の関係を表すテーブルを示す図である。テーブル５００において、左端の列はパターン密度を表し、中央の列はヘイズ値を表し、右端の列は、視認結果を表す。この実験において、第２の光源５５として、チップ型白色ＬＥＤ（LP-3020H196W）を１個使用した。また、ヘイズ値は、ヘイズメータHM-150L2（株式会社村上色彩技術研究所製）を用いて測定した。そして目視により、導光板５２及び第１表示板５１を介して第２の光源５５で照明された物体を観察したときに、物体の前にある部材が透明な部材であると感じられたときをＯＫとし、物体の前に不透明な部材があると感じられたときをＮＧとした。
【００３４】
テーブル５００に示されるように、パターン密度が30％を超えるか、あるいは、ヘイズ値が28％を超えると、視認結果はＮＧとなる。そこで、例えば、パターン密度が30.0％以下となるように各プリズム５２１は形成されることが好ましい。あるいは、ヘイズ値が28％以下となるように各プリズム５２１は形成されることが好ましい。
【００３５】
第１の光源５３は、例えば、白色発光ダイオード又は蛍光灯といった発光素子を有し、その発光面が導光板５２の第１入射面５２ａに対向するように配置される。例えば、第１の光源５３は、その発光強度が最も強い方向が第１入射面５２ａに対して直交するように配置される。また、第１の光源５３として、光の利用効率を高めるために、例えば、指向性がある発光素子を用いることが好ましい。あるいは、第１の光源５３から発した光の指向性を高くするために、第１入射面５２ａと第１の光源５３の間にコリメートレンズが配置されてもよい。なお、第１の光源５３は、複数の発光素子を有してもよい。そして第１の光源５３は、制御部５６からの制御信号に応じて点灯又は消灯する。
【００３６】
図６は、第２表示板５４の側面図である。
【００３７】
第２表示板５４は、平板状の第２基材５４１と、第２表示パターン形成層５４２とを有する平板状の部材である。第２基材５４１は、第１基材５１１と同様に光に対して透明であり、例えば、ポリメチルメタクリレート、ポリカーボネート、シクロオレフィンポリマーの光に対して透明な樹脂を成型することにより作成される。第２表示パターン形成層５４２は、第２の光源５５からの光を第１表示板５１の正面に位置する観察者が観察するときに第２の表示パターンを提示するものであり、第２基材５４１の一方の面に光を透過しないインクを使用して印刷することにより形成される。第２表示パターン形成層５４２を形成するときに使用されるインクは、例えば、光を遮蔽する顔料又は染料である。第２表示パターン形成層５４２が形成される不透過領域は光を透過しない一方、第２表示パターン形成層５４２が形成されていない透過領域は光を透過する。光を透過する透過領域を透過した第２の光源５５からの光を導光板５２の正面側に位置する第１表示板５１側に透過する。一例では、図２（ｂ）に示すように第２表示パターン形成層５４２は、英文字列「ＣＨＡＮＣＥ」を示す透過領域を光が透過するように印刷される。本実施形態では、第２表示パターン形成層５４２は、第２基材５４１の背面側に配置されるが、第２基材５４１の正面側に配置されてもよい。また、第２表示板５４は、不透明な樹脂を平板状に成形することにより、形成してもよい。この場合、透過領域は、光を透過する単数又は複数の貫通孔として形成される。
【００３８】
第２の光源５５は、第２表示板５４の背面側に配置され、例えば、白色発光ダイオード等を備える第１発光素子５５１〜第６発光素子５５６を有し、第２表示板５４を照明する。第１発光素子５５１〜第６発光素子５５６のそれぞれは、第２表示板５４に光を透過する透過領域として形成される英文字列「ＣＨＡＮＣＥ」のそれぞれの文字を示す透過領域の何れかを照射するように配置される。拡散層５１３において第２の光源５５からの光が照射される照射領域における第２の光源５５からの光による照度が、その照射領域における第１の光源５３からの光による照度よりも大きくなるような輝度を有する発光素子が、第１発光素子５５１〜第６発光素子５５６のそれぞれとして選択されることが好ましい。第２の光源５５からの光による拡散層５１３における照度を大きくすることにより、第１の光源５３を消灯させ且つ第２の光源５５を点灯させるときに、第１表示板５１の第１の表示パターンを白飛びさせて、第１の表示パターンを観察者に視認し難くするためである。なお、第２の表示パターンを特定の色の光源で照明したい場合には、その特定の色で発光するダイオードなどの発光素子を第２の光源５５として利用してもよい。第２の光源５５は、第１の光源５３と同様に、制御部５６からの制御信号に応じて点灯又は消灯する。
【００３９】
制御部５６は、例えば、プロセッサと、メモリ回路とを有し、上位の制御装置（図示せず）からの制御信号に応じて、第１の光源５３及び第２の光源５５を制御する。制御部５６は、第１表示板５１の第１の表示パターンを表示するときは、第１の光源５３を点灯させる一方、第２の光源５５を消灯させる。また、制御部５６は、第２表示板５４の第２の表示パターンを表示するときは、第１の光源５３を消灯させる一方、第２の光源５５を点灯させる。制御部５６は、第１の光源５３及び第２の光源５５の交互の点滅を所定の周期で繰り返すことができる。
【００４０】
筺体５７は、第１表示板５１、導光板５２、第１の光源５３、第２表示板５４、第２の光源５５を収納し、不図示の固定部材により本体筺体１に固定される。
【００４１】
図７は表示装置に表示される表示パターンの例を示す図であり、図７（ａ）は第１の光源５３を点灯させ且つ第２の光源５５を消灯させたときの表示パターンの一例を示し、図７（ｂ）は第１の光源５３を消灯させ且つ第２の光源５５を点灯させたときの表示パターンの一例を示す。
【００４２】
図７（ａ）に示す表示パターン６０３を表示するとき、制御部５６は、第１の光源５３を点灯させ且つ第２の光源５５を消灯させる。第１の光源５３を点灯させることにより、第１の光源５３からの光は、導光板５２の内部を伝搬することで拡散されて、第１表示板５１へ向けて出射される。第１の光源５３からの光が導光板５２の内部で拡散されることにより、第１表示板５１は、第１の光源５３からの光によって全面が光らされる。これによって、第１表示板５１の第１の表示パターンが表示される。一方、第２の光源５５は消灯しているので、第２表示板５４の第２の表示パターンは表示されない。
【００４３】
図７（ｂ）に示す表示パターン６０５を表示するとき、制御部５６は、第１の光源５３を消灯させ且つ第２の光源５５を点灯させる。第２の光源５５を点灯させることにより、第２表示板５４の第２の表示パターンに応じた透過領域及び導光板５２を透過した第２の光源５５からの光は、第１表示板５１の拡散層５１３に照射されて拡散される。第２の表示パターンに応じた透過領域を透過した光が拡散層５１３で拡散されることにより、拡散層５１３は、第２表示板５４の第２の表示パターンを表示する透過スクリーンとして機能する。第２の光源５５からの光は第２の表示パターンに応じた透過領域を透過しているので、第２の光源５５からの光が入射するとき、第１表示板５１は、全面ではなく第２表示板５４の第２の表示パターンに対応する領域のみが光って見える。そのため、第２表示板５４の第２の表示パターンは、拡散層５１３に表示されたように観察者に観察される。
【００４４】
第１の表示パターンは、拡散層５１３に隣接する第１表示パターン形成層５１２に応じて表示され、第２の表示パターンは拡散層５１３で拡散された光により表示されるので、第１の表示パターン及び第２の表示パターンの間には奥行が生じない。
【００４５】
以上に説明してきたように、この遊技機が有する表示装置は、第１の表示パターンを表示するときに、導光部材で拡散された第１の光源からの光を第１表示部材に照射することにより、第１表示部材を全面に亘って照明する。一方、表示装置は、第２の表示パターンを表示するときに、第２表示板５４の第２の表示パターンに応じた透過領域及び導光板を透過した第２の光源からの光を、第１表示部材の拡散面で拡散させることにより、第１表示部材の拡散面において第２の光源からの光が照射された部分を光らせる。このため、第１の表示パターンと第２の表示パターンを観察する観察者は、第１の表示パターンと第２の表示パターンとの間で奥行を感じずに観察できる。
【００４６】
図８は、本発明の第１の実施形態の変形例に係る表示パターンの例を示す図であり、図８（ａ）は第１の光源５３及び第２の光源５５の双方を消灯させたときの表示パターンの一例を示し、図８（ｂ）は第１の光源５３及び第２の光源５５の双方を点灯させたときの表示パターンの一例を示す。図８（ｂ）に示す変形例の表示パターンを表示するとき、第１の光源５３及び第２の光源５５の輝度は、第１表示板５１の表示パターンが白飛びせずに表示可能なように調整される。
【００４７】
図８（ａ）に示す表示パターン６１０を表示するとき、制御部５６は、第１の表示パターン及び第２の表示パターンの双方を表示させないように、第１の光源５３及び第２の光源５５の双方を消灯させる。図８（ｂ）に示す表示パターン６１１を表示するとき、制御部５６は、第１の表示パターン及び第２の表示パターンの双方を表示するために第１の光源５３及び第２の光源５５を点灯する。第１の光源５３及び第２の光源５５を交互に点滅することに加えて、第１の光源５３及び第２の光源５５の双方を同時に点灯、及び消灯させることにより、表示装置５に表示させる表示パターンを観察する観察者に多彩な演出を提供できる。
【００４８】
図９は本発明の第２の実施形態に係る表示装置の部分分解斜視図である。
【００４９】
第２実施形態に係る表示装置６は、第２の光源５５の代わりに第２の光源６５を有することが第１実施形態に係る表示装置５と相違する。第２の光源６５は、第１発光素子５５１〜第６発光素子５５６に加えて、第１発光素子５５１〜第６発光素子５５６のそれぞれから一定の間隔でそれぞれ配置された第７発光素子６５１〜第１２発光素子６５６を更に有する。一例では、第１発光素子５５１と第７発光素子６５１との間の距離は第１の距離であり、第２発光素子５５２と第８発光素子６５２との間の距離は同様に第１の距離である。以下、同様に、第３発光素子５５３〜第６発光素子５５６のそれぞれと第９発光素子６５３〜第１２発光素子６５６のそれぞれとの間の距離は、第１の距離である。第７発光素子６５１〜第１２発光素子６５６のそれぞれは、第１発光素子５５１〜第６発光素子５５６と同様に、第２表示板５４に光を透過する透過領域として形成される英文字列「ＣＨＡＮＣＥ」のそれぞれの文字を示す透過領域を照射するように配置される。すなわち、左端に位置する文字「Ｃ」を示す透過領域は第１発光素子５５１及び第７発光素子６５１の双方からの光に照射され、文字「Ｈ」を示す透過領域は第２発光素子５５２及び第８発光素子６５２の双方からの光に照射される。以下、順次、対になる発光素子からの光は同一の文字を示す透過領域を照射する。
【００５０】
第１発光素子５５１〜第６発光素子５５６及び第７発光素子６５１〜第１２発光素子６５６のそれぞれは、英文字列「ＣＨＡＮＣＥ」のそれぞれの文字を示す透過領域を照射するが、透過領域を照射する角度が相違する。すなわち、第１発光素子５５１〜第６発光素子５５６それぞれの文字を示す透過領域を第１の角度で照射するのに対し、第７発光素子６５１〜第１２発光素子６５６はそれぞれの文字を示す透過領域を第１の角度と相違する第２の角度で照射する。一例では、第１発光素子５５１〜第６発光素子５５６のそれぞれは、第２表示板５４の法線と、第２表示板５４のそれぞれの文字を示す透過領域の重心とそれぞれの発光素子の重心とを通る直線との間の角度が０度となるように配置される。一方、第７発光素子６５１〜第１２発光素子６５６のそれぞれは、第２表示板５４の法線と、第２表示板５４のそれぞれの文字を示す透過領域の重心とそれぞれの発光素子の重心とを通る直線との間の角度が１０度となるように配置される。
【００５１】
図１０は、本発明の第２の実施形態に係る表示パターンの例を示す図である。図１０（ａ）は、第１の光源５３及び第７発光素子６５１〜第１２発光素子６５６を消灯させ且つ第１発光素子５５１〜第６発光素子５５６を点灯させたときの第１表示パターンの一例を示す。図１０（ｂ）は、第１の光源５３及び第１発光素子５５１〜第６発光素子５５６を消灯させ且つ７発光素子６５１〜第１２発光素子６５６を点灯させたときの第２表示パターンの一例を示す。
【００５２】
図１０（ａ）に示す表示パターン６２１を表示するとき、制御部５６は、第１の光源５３を消灯させ、第２の光源６５の第７発光素子６５１〜第１２発光素子６５６を点灯させ且つ第２の光源６５の第１発光素子５５１〜第６発光素子５５６を消灯させる。図１０（ｂ）に示す表示パターン６２２を表示するとき、制御部５６は、第１の光源５３を消灯させ、第２の光源６５の第１発光素子５５１〜第６発光素子５５６を消灯させ且つ第２の光源６５の第７発光素子６５１〜第１２発光素子６５６を点灯させる。図１０（ａ）に示す表示パターン６２１と図１０（ｂ）に示す表示パターン６２２とを比較すると、表示される英文字列「ＣＨＡＮＣＥ」の位置が横方向に移動している。第１発光素子５５１〜第６発光素子５５６それぞれの文字を示す透過領域を第１の角度で照射するのに対し、第７発光素子６５１〜第１２発光素子６５６はそれぞれの文字を示す透過領域を第１の角度と相違する第２の角度で照射するためである。すなわち、透過領域を照射する角度を第１の角度から第２の角度にすることにより、導光板の厚さに応じた移動距離を表示パターンが移動することになる。制御部５６が第１発光素子５５１〜第６発光素子５５６と第７発光素子６５１〜第１２発光素子６５６とを交互に点滅させることにより、表示される英文字列「ＣＨＡＮＣＥ」が横方向に交互に移動する演出が可能になる。
【００５３】
本発明の第２の実施形態の変形例によれば、それぞれの文字を照射する発光素子の数は３つ以上でもよい。それぞれの文字を照射する発光素子の数を３つ以上にし、照射する発光素子を順次切り替えることにより、英文字列「ＣＨＡＮＣＥ」が徐々に移動していく演出が可能になる。
【００５４】
以上の実施形態では、表示装置５及び６は、発光ドラム２ａ〜２ｃの下方に配置されるが、本発明の実施形態に係る表示装置は、発光ドラム２ａ〜２ｃの両側又は発光ドラム２ａ〜２ｃの右側又は左側に何れか一方に配置されてもよい。また、発明の実施形態に係る表示装置は、発光ドラム２ａ〜２ｃの表示装置としてもよい。
【００５５】
図１１は、第３の実施形態に係る表示装置の部分側面図である。図１１では、第３の実施形態に係る表示装置は、発光ドラム２ａの内部に配置される例を示すが、発光ドラム２ｂ及び２ｃにも同様に配置することが可能である。
【００５６】
表示装置７は、第１表示フィルム７１と、導光フィルム７２と、第１の光源７３１〜７３３と、第２表示フィルム７４と、第２の光源７５１〜７５３と、制御部７６とを有し、リール表示窓２１の背面側に配置される。第１表示フィルム７１、導光フィルム７２及び第２表示フィルム７４のそれぞれは、可とう性のフィルムである。第１表示フィルム７１は発光ドラム２ａの最外周に配置され、導光フィルム７２は第１表示フィルム７１の内側に配置され、第２表示フィルム７４は導光フィルム７２の内側に配置される。第１の光源７３１〜７３３のそれぞれは、導光フィルム７２の端面に対向するように配置され、導光フィルム７２の端面から導光フィルム７２に光を照射する。第１の光源７３１〜７３３のそれぞれは、第２表示フィルム７４の内側に位置する架台２２に固定され、第２表示フィルム７４の内側の面に光を照射する。制御部７６は、第１の光源７３１〜７３３及び第２の光源７５１〜７５３の交互の点滅を所定の周期で繰り返すことができる。
【００５７】
第１表示フィルム７１は、第１表示板５１と同様に光を拡散する拡散層と、複数の色の光透過性インクを使用してカラー印刷された表示パターン形成層とを有するフィルムである。導光フィルム７２は、導光板５２と同様に複数のプリズムが形成され、第１の光源７３１〜７３３からの光をその内部で伝搬させると共に拡散させて、第１表示フィルム７１へ向けて出射させる。第２表示フィルム７４は、第２表示板５４と同様に光を透過しない材料により形成される表示パターンを有する光透過性フィルムである。
【００５８】
第３の実施形態に係る表示装置７によれば、発光ドラム２ａ〜２ｃの表示パターンを第１表示フィルム７１の表示パターンと、第２表示フィルム７４の表示パターンとを切り替えることにより、多彩な演出を観察者に提供できる。
【００５９】
上記の実施形態又は変形例による表示装置を備えた遊技機は、弾球遊技機又は回動遊技機といった遊技機であってもよい。
【００６０】
このように、当業者は、本発明の範囲内で、実施される形態に合わせて様々な変更を行うことができる。
【符号の説明】
【００６１】
１    本体筺体
２ａ〜２ｃ    発光ドラム
３    スタートレバー
４ａ〜４ｃ    ストップボタン
５〜７    表示装置
５１    第１表示板（第１表示部材）
５２    導光板（導光部材）
５３、７３１〜７３３    第１の光源
５４    第２表示板（第２表示部材）
５５、６５、７５１〜７５３    第２の光源
５６    制御部
５７    筺体
７１    第１表示フィルム（第１表示部材）
７２    導光フィルム（導光部材）
７４    第２表示フィルム（第２表示部材）
１００    回動遊技機
５５１〜５５６    発光素子（第１の発光素子）
６５１〜６５６    発光素子（第２の発光素子）
【図１】
2016067558.tif 000003
【図２】
2016067558.tif 000004
【図３】
2016067558.tif 000005
【図４】
2016067558.tif 000006
【図５】
2016067558.tif 000007
【図６】
2016067558.tif 000008
【図７】
2016067558.tif 000009
【図８】
2016067558.tif 000010
【図９】
2016067558.tif 000011
【図１０】
2016067558.tif 000012
【図１１】
2016067558.tif 000013
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
遊技機本体と、
前記遊技機本体の遊技者と対向する側の面に設けられた表示装置とを有し、
前記表示装置は、
第１表示部材と、前記第１表示部材の背面側に配置された導光部材と、前記導光部材の側面側に配置された第１の光源と、前記導光部材の背面側に配置された第２表示部材と、前記第２表示部材の背面側に配置された第２の光源と、前記第１の光源及び前記第２の光源を制御する制御部とを有し、
前記第２表示部材は、光を透過する透過領域と光を透過しない不透過領域とにより形成された第２の表示パターンを有し、前記第２の光源からの光のうち、前記透過領域を透過した光を前記導光部材へ向けて出射し、
前記導光部材は、前記第１の光源に対向する第１入射面と、前記第２表示部材の正面に対向する第２入射面と、前記第２入射面の反対の面であり且つ前記第１表示部材の背面に対向する出射面とを有し、前記第１入射面を介して入射した前記第１の光源からの光を内部で伝搬させて前記出射面から前記第１表示部材へ向けて出射すると共に、前記第２入射面を介して入射した光を透過させて前記出射面から前記第１表示部材へ向けて出射し、
前記第１表示部材は、前記導光部材の前記出射面からの光を拡散して正面から出射する拡散面と、前記拡散層の正面側又は背面側に隣接して配置され且つ前記第１の表示パターンを提示する第１表示パターン形成層とを有し、
前記第１の表示パターンは前記拡散層に隣接して配置された前記第１表示パターン形成層に応じて表示され、前記第２の表示パターンは前記拡散層で拡散された光により表示される、ことを特徴とする遊技機。
【請求項２】
前記制御部は、前記第１の光源を点灯させている間、前記第２の光源を消灯させ、前記第２の光源を点灯させている間、前記第１の光源を消灯させる、請求項１に記載の遊技機。
【請求項３】
前記第１表示部材において前記第２の光源からの光が照射される照射領域における前記第２の光源からの光による照度は、前記照射領域における前記第１の光源からの光による照度よりも小さい、請求項２に記載の遊技機。
【請求項４】
前記第２の光源は、前記第２表示部材に形成された前記第２の表示パターンを第１の角度で照射する第１の発光素子と、前記第１の角度と相違する第２の角度で前記第２の表示パターンを照射する第２の発光素子とを有し、
前記制御部は、前記第１の発光素子を点灯させている間、前記第２の発光素子を消灯し、前記第２の発光素子を点灯させている間、前記第１の発光素子を消灯する、請求項１〜３の何れか一項に記載の遊技機。